(57)【要約】【課題】  専門技術を持たない無線通信装置の利用者でも、通信不可の原因の所在を大まかに把握することができ、通信不可事象の解析における利便性を向上させ、通信復旧までの時間を短縮することができる無線通信装置を提供することを目的とする。【解決手段】  動作モード（表示モード）を通常動作モード又は解析モードに切り替える動作モード切替スイッチ１３と、無線状態を点灯／消灯で示す複数のＬＥＤ１１とを備え、ＣＰＵ２１が、予め設定されている動作項目について現在の状態を検出し、動作モード切替スイッチ１３によって解析モードが設定されると、項目及び検出された状態に対応するＬＥＤ１１を点灯又は消灯させる無線通信装置としている。【選択図】        図１
2020053793.tif 000002
【特許請求の範囲】
【請求項１】
ネットワークの基地局に無線接続する無線通信装置であって、
無線状態を点灯／消灯で示す複数のＬＥＤと、
前記ＬＥＤの表示内容を規定する表示モードを設定するモード切替スイッチと、
無線接続の処理を行う無線モジュールと、
予め設定されている動作項目について前記無線モジュールの動作状態を検出し、前記モード切替スイッチによって、前記ネットワークへの接続処理状態を表示する解析モードが設定されると、前記動作項目に対応する前記ＬＥＤを、検出された動作状態に応じて点灯又は消灯させて前記接続処理状態を表示する制御部とを備えたことを特徴とする無線通信装置。
【請求項２】
動作項目の動作状態としては、基地局をサーチしているか否か、前記基地局からの信号を検出したか否か、前記基地局へ位置登録要求信号を送信しているか否か、前記位置登録要求に対してネットワークから許可応答を受信しているか否か、のいずれかを含むことを特徴とする請求項１記載の無線通信装置。
【請求項３】
ネットワークの基地局に無線接続する無線通信装置における表示方法であって、
制御部が、予め設定されている動作項目について動作状態を検出しており、モード切替スイッチによって、前記ネットワークへの接続処理状態を表示する解析モードが設定されると、前記動作項目に対応するＬＥＤを、検出された動作状態に応じて点灯又は消灯させて前記接続処理状態を表示することを特徴とする表示方法。
【発明の詳細な説明】
【技術分野】
【０００１】
本発明は、通信事業者のネットワークに接続する無線通信装置に係り、特に通信不可状態となった場合の原因を簡易的に判断でき、復旧までの時間を短縮することができる無線通信装置に関する。
【背景技術】
【０００２】
［先行技術の説明］
通信事業者のネットワークに接続して無線通信を行う無線通信モジュール（無線モジュール）や、その無線モジュールを組み込んだ無線通信装置がある。
このような無線通信装置には、無線モジュールの動作状態を示すために複数のＬＥＤが設けられ、それらの点灯／消灯のパターンによって、内部状態を知ることができる。
【０００３】
従来、無線通信装置がネットワークに位置登録できずに通信不可状態になった場合、通常、当該機器の近くにいる操作者は、コマンド応答及びＬＥＤ点灯状態から圏外であることのみが分かる程度であった。
【０００４】
通信不可状態となった要因としては、無線モジュールの不具合、無線モジュールを搭載した無線通信装置の不具合、無線通信装置を設置した場所の電波環境、通信事業者の基地局の不具合、通信事業者による通信制限等が考えられる。
【０００５】
そして、どの要因によって通信不可状態が発生しているのかを判断するためには、無線通信モジュールの内部動作ログを取得して解析し、モジュールの動作および位置登録要求に対するネットワークからの応答を確認する必要があり、それには通信事業者や無線通信モジュールの製造メーカの、専門技術を持った作業者が、専用のツールをインストールしたＰＣを持参して現地に赴き、動作ログ取得作業を行わなければならなかった。
［関連技術］
【０００６】
尚、無線モジュールや無線通信装置に関する従来技術としては、特開２０１６−０７２６４７号公報「無線通信システム、通信方法、無線通信モジュール」（特許文献１）、特開２０１５−２１６４８８号公報「無線通信モジュール」（特許文献２）、特開２０１５−０６４２３４号公報「無線通信システム及び無線通信モジュール」（特許文献３）がある。
【０００７】
特許文献１には、外部装置の制御ソフトウェアを改修することなく、サーバからのデータ通信を行うことができる無線通信モジュールが記載されている。
特許文献２には、搭載される機器内の設置環境に応じて、２つの受信系に対応する２つのアンテナのどちらか一方を、外部アンテナと内蔵アンテナを適宜切り換えて使用する無線通信モジュールが記載されている。
特許文献３には、位置情報サービスにおいて測位を実行して得られた位置情報を平均化演算し、ユーザが希望する測位精度で位置情報を得ることができる無線通信システム及び無線通信モジュールが記載されている。
【先行技術文献】
【特許文献】
【０００８】
【特許文献１】特開２０１６−０７２６４７号公報
【特許文献２】特開２０１５−２１６４８８号公報
【特許文献３】特開２０１５−０６４２３４号公報
【発明の概要】
【発明が解決しようとする課題】
【０００９】
上述したように、従来の無線通信装置では、圏外となって通信できない状態が継続した場合に、専門の技術者が現地に到着して解析作業を行うまでは通信不可の原因が全く分からず、通信復旧まで時間がかかり、無線通信装置の利用者にとって不便であるという問題点があった。
【００１０】
尚、特許文献１〜３には、制御部が、予め設定されている動作項目について動作状態を検出し、解析モードが設定されると、動作項目に対応するＬＥＤを、検出された動作状態に応じて点灯又は消灯させてネットワークへの接続処理状態を表示することは記載されていない。
【００１１】
本発明は上記実状に鑑みて為されたもので、通信技術に関する専門技術を持たない無線通信装置の利用者でも、通信不可の原因の所在を大まかに切り分け可能とし、通信復旧までの時間を短縮することができる無線通信装置を提供することを目的とする。
【課題を解決するための手段】
【００１２】
上記従来例の問題点を解決するための本発明は、ネットワークの基地局に無線接続する無線通信装置であって、無線状態を点灯／消灯で示す複数のＬＥＤと、ＬＥＤの表示内容を規定する表示モードを設定するモード切替スイッチと、無線接続の処理を行う無線モジュールと、予め設定されている動作項目について無線モジュールの動作状態を検出し、モード切替スイッチによって、ネットワークへの接続処理状態を表示する解析モードが設定されると、動作項目に対応するＬＥＤを、検出された動作状態に応じて点灯又は消灯させて接続処理状態を表示する制御部とを備えたことを特徴としている。
【００１３】
また、本発明は、上記無線通信装置において、動作項目の動作状態としては、基地局をサーチしているか否か、基地局からの信号を検出したか否か、基地局へ位置登録要求信号を送信しているか否か、前記位置登録要求に対してネットワークから許可応答を受信しているか否か、のいずれかを含むことを特徴としている。
【００１４】
また、本発明は、ネットワークの基地局に無線接続する無線通信装置における表示方法であって、制御部が、予め設定されている動作項目について動作状態を検出しており、モード切替スイッチによって、ネットワークへの接続処理状態を表示する解析モードが設定されると、動作項目に対応するＬＥＤを、検出された動作状態に応じて点灯又は消灯させて接続処理状態を表示することを特徴としている。
【発明の効果】
【００１５】
本発明によれば、ネットワークの基地局に無線接続する無線通信装置であって、無線状態を点灯／消灯で示す複数のＬＥＤと、ＬＥＤの表示内容を規定する表示モードを設定するモード切替スイッチと、無線接続の処理を行う無線モジュールと、予め設定されている動作項目について無線モジュールの動作状態を検出し、モード切替スイッチによって、ネットワークへの接続処理状態を表示する解析モードが設定されると、動作項目に対応するＬＥＤを、検出された動作状態に応じて点灯又は消灯させて接続処理状態を表示する制御部とを備えた無線通信装置としているので、通信不可状態になった場合に解析モードに設定すれば、ＬＥＤの点灯パターンに基づいて、通信不可の大まかな原因を切り分けて推測でき、通信復旧までの時間を短縮することができる効果がある。
【００１６】
また、本発明によれば、動作項目の動作状態としては、基地局をサーチしているか否か、基地局からの信号を検出したか否か、基地局に位置登録要求信号を送信しているか否か、位置登録要求に対してネットワークから許可応答を受信しているか否か、のいずれかを含む上記無線通信装置としているので、通信不可となっている要因が、無線モジュールによるものか、電波環境によるものか、基地局装置によるものかを切り分けて大まかに判断できる効果がある。
【００１７】
また、本発明によれば、ネットワークの基地局に無線接続する無線通信装置における表示方法であって、制御部が、予め設定されている動作項目について動作状態を検出しており、モード切替スイッチによって、ネットワークへの接続処理状態を表示する解析モードが設定されると、動作項目に対応するＬＥＤを、検出された動作状態に応じて点灯又は消灯させて接続処理状態を表示する表示方法としているので、通信不可状態になった場合に解析モードに設定すれば、ＬＥＤの点灯パターンに基づいて、通信不可の大まかな原因を切り分けて推測でき、通信復旧までの時間を短縮することができる効果がある。
【図面の簡単な説明】
【００１８】
【図１】本無線通信装置の概略構成図である。
【図２】通常モードＬＥＤ表示テーブルの一例を示す説明図である。
【図３】解析モードＬＥＤ表示テーブルの一例を示す説明図である。
【図４】解析モードにおけるＣＰＵの表示処理を示すフローチャートである。
【発明を実施するための形態】
【００１９】
本発明の実施の形態について図面を参照しながら説明する。
［実施の形態の概要］
本発明の実施の形態に係る無線通信装置（本無線通信装置）は、制御部が、動作モードとして通常動作モードと解析モードとを備え、予め設定されている動作項目について無線モジュールの動作状態を検出し、モード切替スイッチによって解析モードが設定されると、各項目に対応するＬＥＤを検出された状態に応じて点灯又は消灯させるようにしており、専門技術を持たない無線通信装置の利用者でも、通信不可状態になった場合に解析モードに設定することにより、ＬＥＤの点灯パターンに基づいて、通信不可の大まかな原因を切り分けて推測でき、適切に対処することにより通信復旧までの時間を短縮することができるものである。
【００２０】
また、本無線通信装置は、基地局をサーチしているか否か、基地局からの信号を検出したか否か、基地局に位置登録要求信号を送信しているか否か、位置登録要求に対して、ネットワークから許可応答を受信しているか否か、を監視して、結果に応じてＬＥＤを点灯／消灯することで、通信不可となっている要因が、無線モジュールによるものか、電波環境によるものか、基地局装置によるものかを大まかに判断できるようにしている。
【００２１】
［本無線通信装置の概略構成：図１］
本無線通信装置の概略構成について図１を用いて説明する。図１は、本無線通信装置の概略構成図である。
本無線通信装置は、従来と同様に、有線で外部装置と接続すると共に、通信事業者のネットワークの基地局装置と無線通信を行って、外部装置を通信事業者のネットワークに接続するものである。
【００２２】
図１に示すように、本無線通信装置は、本体の外装を構成する筐体１と、筐体１の内部に格納された基板２とを備えている。筐体１及び筐体１の外側及び内部に設けられた各部を含む構成全体が、本無線通信装置に相当する。
尚、本無線通信装置に接続する外部装置は省略している。
【００２３】
基板２には、無線モジュール２０と、ＣＰＵ（Central Processing Unit）２１と、が搭載されている。無線モジュール２０は、ベースバンド信号処理部２２と、ＲＦ（Radio Frequency）信号処理部２３を有する。
【００２４】
また、筐体１には、ＬＥＤ１１ａ（ＬＥＤ（１））〜１１ｅ（ＬＥＤ（５））の５個のＬＥＤ（ＬＥＤ１１と記載することもある）と、アンテナ１２と、本無線通信装置の特徴部分である動作モード切替スイッチ１３とを備えている。
ＬＥＤ１１と、動作モード切替スイッチ１３は、ＣＰＵ２１に接続され、アンテナ１２は、アンテナケーブルを介してＲＦ信号処理部２３に接続されている。
【００２５】
無線モジュール２０は、基地局装置との無線通信を実現するものである。
また、図示は省略するが、無線モジュール２０は、ネットワークへの接続処理状態を監視する状態監視部を備えている。
本無線通信装置のＣＰＵ２１は、無線モジュール全体を制御して無線通信を行うと共に、内部の動作状態（通信状態を含む）を監視して、ＬＥＤ１１の点灯／消灯の制御を行う。
また、ＣＰＵ２１は、内部に、設定された動作モードを保持している。動作モードは、動作モード切替スイッチ１３によって切り替えられて設定される。動作モード切替スイッチ１３は人手によって操作される。
【００２６】
ここで、「動作モード」は、各ＬＥＤ１１が点灯又は消灯の状態で示す内容を規定するものであり、請求項における表示モードに相当している。
尚、ＣＰＵ２１が通信不能を自己診断して、自動で解析モードに切り替わるように構成してもよい。
【００２７】
動作モードとしては、従来と同様に無線通信を行う通常動作モード（通常モード）と、無線通信ができない状態となった場合に、その原因を探るための表示を行う解析モードとを備えている。平常時には通常モードが設定されている。
そして、ＣＰＵ２１は、設定された動作モードに対応した処理プログラムに従って動作を行う。解析モードにおける動作は、後述する。
【００２８】
また、ベースバンド信号処理部２２は、入力された送信ベースバンド信号について、符号化、デジタル変調、誤り訂正符号の付加等を行い、受信ベースバンド信号について、復号化、デジタル復調、誤り訂正の処理等を行う。
【００２９】
ＲＦ信号処理部２３は、送信信号を高周波にアップコンバートしてアンテナ１２に出力すると共に、アンテナ１２からの受信信号をベースバンド信号にダウンコンバートして、ベースバンド信号処理部２２に出力する。
【００３０】
アンテナ１２は、高周波信号の送受信を行う。
動作モード切替スイッチ１３は、動作モードを、「通常モード」又は「解析モード」に切り替えるスイッチである。スイッチとしてはスライド型やプッシュ型等、任意の形状でよい。尚、現在設定されている動作モードが、通常モードであるか解析モードであるかは、動作モード切替スイッチ１３の状態によって目視で判断する。
【００３１】
本無線通信装置に専用のＰＣを接続して、コマンドを送信することによって動作モードを切り替えることも可能であるが、ここでは、専用のＰＣを持たない一般の操作者であっても容易に動作モードの切り替えを行うことができるよう、動作モード切替スイッチ１３を設けている。
【００３２】
ＬＥＤ１１は、ＣＰＵ２１からの制御で点灯又は消灯する。各ＬＥＤは、それぞれ、特定の動作状態を表すように予め設定されている。ここでは、ＬＥＤ１１の動作を点灯／消灯としているが、点灯の代わりに点滅としてもよいし、点滅／点灯／消灯として３つの状態を表示するように構成することも可能である。
【００３３】
更に、本無線通信装置の特徴として、ＬＥＤ１１は、通常モードが設定されている場合と解析モードが設定されている場合で、異なる動作項目の状態を示すようにしている。
各ＬＥＤの示す状態は、動作モード毎に予めＣＰＵ２１にＬＥＤ表示テーブルとして記憶されている。つまり、解析モード専用のＬＥＤを備える必要はない。
【００３４】
［ＣＰＵ２１の状態監視］
ＣＰＵ２１による状態監視について説明する。
ＣＰＵ２１は、動作モードに関わらず本無線通信装置の動作状態を監視して、動作モードに応じて規定されている動作項目の監視結果に基づき、ＬＥＤ１１を点灯又は消灯させるよう制御する。
解析モードにおいてＬＥＤ１１で表示する動作項目は、ネットワークへの接続処理状態であり、
（１）基地局サーチを行っているか
（２）基地局サーチを行った結果、基地局からの信号を受信しているか
（３）基地局からの信号を受信した結果、位置登録要求信号を送信しているか
（４）基地局に位置登録要求信号を送信した後、基地局からの応答があるか
の４つがある。
【００３５】
ＣＰＵ２１は、これらの状態を示す情報を、無線モジュール２０から入力することで、ネットワークとの接続状態を監視する。
無線モジュール２０の状態監視部は、上記（１）〜（４）の情報について、非請求リザルトを周期的に出力するか、又は、専用の信号線を設けて各種状態をＣＰＵ２１に出力するようにしてもよい。
ＣＰＵ２１は、無線モジュール２０から定期的に出力される状態を示す情報を記憶しておき、解析モードが設定された場合には記憶されている情報に基づいてＬＥＤ１１の点灯／消灯を行う。
【００３６】
非請求リザルトは、コマンドに対する応答であり、状態監視部が検出した状態変化に応じて出力する。
本無線通信装置では、例えば、基地局からの信号を検出したら無線モジュール２０からその旨を示す非請求リザルトをＣＰＵ２１に出力するよう予め設定しておき、ＣＰＵ２１は、解析モードにおいて非請求リザルトを受信すると、それに応じてＬＥＤ１１を制御する動作を行う。
【００３７】
［ＬＥＤの表示内容：図２，図３］
ここで、本無線通信装置におけるＬＥＤ１１の表示内容について図２，図３を用いて説明する。
［通常モードでの表示内容：図２］
まず、通常モードが設定されている場合のＬＥＤ１１の表示内容について図２を用いて説明する。図２は、通常モードＬＥＤ表示テーブルの一例を示す説明図である。
図２に示すように、通常モードＬＥＤ表示テーブル（以下、通常モードテーブル）は、通常モードにおける動作状態と各ＬＥＤの点灯／消灯の状態を対応付けて記憶している。通常モードテーブルは、通常モードにおけるＬＥＤの表示内容を規定するものである。
【００３８】
例えば、通常モードにおいて、ＬＥＤ（１）（ＬＥＤ１１ａ）は、装置が起動中であれば点灯し、停止中であれば消灯する。また、ＬＥＤ（２）（ＬＥＤ１１ｂ）は、通信圏内であれば点灯し、通信圏外であれば消灯する。
つまり、ＣＰＵ２１が動作状態を監視して、装置が通信圏内であれば、ＬＥＤ（２）を点灯させ、通信圏外であれば、ＬＥＤ（２）を消灯させるよう制御する。
【００３９】
同様に、ＬＥＤ（３）〜（５）についても、動作状態とそれに対応する点灯又は消灯が規定されており、ＣＰＵ２１は、通常モードテーブルに従ってＬＥＤ１１の点灯又は消灯を制御する。
【００４０】
［解析モードでの表示内容：図３］
次に、解析モードが設定されている場合のＬＥＤ１１の表示内容について図３を用いて説明する。図３は、解析モードＬＥＤ表示テーブルの一例を示す説明図である。
図３に示すように、解析モードＬＥＤ表示テーブル（以下、解析モードテーブル）は、解析モードにおける動作状態と各ＬＥＤの点灯／消灯の状態を対応付けて記憶しており、解析モードにおけるＬＥＤ１１の表示内容を規定するものである。
【００４１】
ＬＥＤ（１）は、通常モードと同様に装置が起動中か停止中かを示すが、ＬＥＤ（２）〜（５）は、解析モードにおいては、通常モードとは異なる内容を示すようになっている。
例えば、解析モードが設定されている場合、ＬＥＤ（２）は、基地局をサーチしているかどうかを示す。
具体的には、ＣＰＵ２１は、基地局サーチを行っているかどうかを監視して、基地局サーチを行っている場合には、ＬＥＤ（２）を点灯させ、行っていない場合には消灯させる。
【００４２】
同様に、解析モードにおいては、ＬＥＤ（３）は基地局からの信号検出の有無、ＬＥＤ（４）は位置登録要求信号を送信しているかどうか、ＬＥＤ（５）は位置登録要求に対して、ネットワークから許可応答を受信したかどうかを、点灯／消灯で示すように、ＣＰＵ２１が制御を行う。
上述したように、ＣＰＵ２１は、無線モジュール２０からの非請求リザルトに基づいて、それぞれの状態を監視している。
【００４３】
また、通常テーブル及び解析テーブルで規定されている表示内容は、例えばマニュアル等に記載されて、本無線通信装置の利用者が認識可能となっている。
特に解析モードにおいて、ＬＥＤ１１の点灯／消灯のパターンを見ることによって、通信不可の原因がどこにあるかを切り分けて推測することが可能となる。
【００４４】
更に、ＬＥＤ１１の数が４個以下であった場合、解析モードにおいて表示可能な情報数も減ることになるが、その場合でも、通信不可の要因切り分けが全くできないわけではないので、従来に比べて通信不可事象の解析における利便性は向上する。
【００４５】
［通信不可要因の切り分け：図３］
次に、ＬＥＤ１１の点灯／消灯パターンと通信不可となった要因の切り分けについて図３を用いて説明する。尚、以下の説明では、ＬＥＤ（１）は点灯しているものとして説明する。
まず、ＬＥＤ（２）が消灯している場合、無線モジュールが基地局サーチを行っていないことがわかる。これにより、無線モジュールの動作に問題があると推定される。
【００４６】
ＬＥＤ（２）が点灯し、ＬＥＤ（３）が消灯している場合、無線モジュールが基地局サーチを行ったが、基地局からの信号を受信していないと考えられる。この場合は、無線通信装置設置場所の電波環境に問題があって、基地局からの電波が無線通信装置に届いていないと推定される。
【００４７】
ＬＥＤ（２），ＬＥＤ（３）が点灯し、ＬＥＤ（４）が消灯している場合、無線モジュールが、基地局からの信号に対して位置登録要求信号を送信していないことがわかる。この場合、無線モジュールの動作に問題があると推定できる。
【００４８】
ＬＥＤ（２），ＬＥＤ（３），ＬＥＤ（４）が点灯し、ＬＥＤ（５）が消灯している場合、無線通信装置が送信した位置登録要求信号が基地局に届いておらず、電波環境が弱電界であるために通信が不安定になっている可能性がある。
また、ＬＥＤ（２），ＬＥＤ（３），ＬＥＤ（４），ＬＥＤ（５）が点灯して、拒否応答（Reject）を受信した場合には、基地局側に要因（例えば通信制限をかけている場合等）があることがわかる。
【００４９】
これにより、無線通信装置の利用者は、解析モードにおいてＬＥＤ１１の点灯／消灯のパターンから通信不可の要因を大まかに切り分けて推定でき、推定された要因について対処すると共に、それ以外の要因についてはとりあえず除外できるものである。
また、解析モードでのＬＥＤ１１の点灯／消灯パターンにより、専門の技術者に対しても一次的な情報を提供して解析を容易にし、通信不可状態からの復帰に要する時間を短縮することができるものである。
【００５０】
［解析モードにおける表示処理：図４］
次に、ＣＰＵ２１の解析モードにおける表示処理について図４を用いて説明する。図４は、解析モードにおけるＣＰＵの表示処理を示すフローチャートである。
ＣＰＵ２１は、通常モードにおいて、ベースバンド信号処理部２２からの情報を監視して、動作状態を記憶している。尚、ＣＰＵ２１は、解析モードに切り替わっても監視及び動作状態の記憶は継続する。
動作モード切替スイッチ１３により、解析モードに切り替えられると、ＣＰＵ２１は、ＬＥＤ（２）〜ＬＥＤ（５）を消灯する（Ｓ１１）。
【００５１】
そして、ＣＰＵ２１は、監視結果に基づいて、基地局サーチを行っているかどうかを判断し（Ｓ１２）、行っていない場合（Ｎｏの場合）には処理Ｓ１４に移行する。また、基地局サーチを行っている場合（Ｙｅｓの場合）には、ＣＰＵ２１は、ＬＥＤ（２）を点灯させ（Ｓ１３）、処理Ｓ１４に移行する。
【００５２】
次に、ＣＰＵ２１は、基地局からの信号を検出したかどうかを判断し（Ｓ１４）、検出していない場合には処理Ｓ１６に移行する。また、処理Ｓ１４で、基地局からの信号を検出した場合には、ＣＰＵ２１は、ＬＥＤ（３）を点灯させ（Ｓ１５）、処理Ｓ１６に移行する。
【００５３】
処理Ｓ１６において、ＣＰＵ２１は、位置登録要求信号を送信しているかどうかを判断し（Ｓ１６）、送信していない場合には処理Ｓ１８に移行し、送信している場合にはＬＥＤ（４）を点灯して（Ｓ１７）、処理Ｓ１８に移行する。
【００５４】
処理Ｓ１８において、ＣＰＵ２１は、ネットワークから許可応答を受信したかどうかを判断し（Ｓ１８）、受信していない場合には処理Ｓ２０に移行し、受信した場合はＬＥＤ（５）を点灯させて（Ｓ１９）、処理２０に移行する。
【００５５】
そして、ＣＰＵ２１は、動作モード切替スイッチ１３から解析モード解除の指示（通常モードへの切替の指示）が入力されたかどうかを判断し、入力されない場合（Ｎｏの場合）には待ち受け、入力されたら（Ｙｅｓの場合）、通常モードに移行する。
このようにして、解析モードにおける表示処理が行われる。
【００５６】
［実施の形態の効果］
本無線通信装置によれば、動作モード（表示モード）を通常の通信を行う通常動作モード又は解析モードに切り替える動作モード切替スイッチ１３と、無線モジュール２０の無線状態を点灯／消灯で示す複数のＬＥＤ１１とを備え、ＣＰＵ２１が、予め設定されている動作項目について現在の状態を検出し、動作モード切替スイッチ１３によって解析モードが設定されると、項目及び検出された状態に対応するＬＥＤ１１を点灯又は消灯させるようにしており、専門の技術者が専用のＰＣを接続して動作ログの解析を行わなくても、無線通信装置の利用者が、動作モード切替モードボタン１３を操作して、ＬＥＤの点灯パターンを目視で認識することで、通信不可状態の大まかな原因を切り分けて推測でき、解析における利便性を向上させ、適切に対処することにより通信復旧までの時間を短縮することができる効果がある。
【００５７】
また、本無線通信装置によれば、ＣＰＵ２１が、基地局をサーチしているか否か、基地局からの信号を検出したか否か、位置登録要求信号を送信しているか否か、位置登録要求に対して、ネットワークから許可応答を受信しているか否か、といったネットワークへの接続処理状態を監視して、結果に応じてＬＥＤ１１を点灯／消灯するようにしているので、通信不可となっている要因が、無線モジュールによるものか、電波環境によるものか、基地局装置によるものかを切り分けて大まかに判断できるようにする効果がある。
【産業上の利用可能性】
【００５８】
本発明は、専門技術を持たない無線通信装置の利用者でも、通信不可の原因の所在を大まかに把握することができ、解析における利便性を向上させ、通信復旧までの時間を短縮することができる無線通信装置に適している。
【符号の説明】
【００５９】
１…筐体、  ２…基板、  １１…ＬＥＤ、  １２…アンテナ、  １３…動作モード切替スイッチ、  ２０…無線モジュール、  ２１…ＣＰＵ、  ２２…ベースバンド信号処理部、  ２３…ＲＦ信号処理部
【図１】
2020053793.tif 000003
【図２】
2020053793.tif 000004
【図３】
2020053793.tif 000005
【図４】
2020053793.tif 000006